(57)【要約】【課題】本発明の水受けトレイは、施工が簡単であること、漏水が発生しないこと、部品点数が少ないこと、浴槽裏空間に浴室内の湿気が流入しないこと、を解決するために発明されたものである。【解決手段】浴槽（Ｙ）の側面に設けられた取付口（１）、前記取付口（１）に対して抜け止めとするフランジ（３ａ）を備えた取付口（１）に挿通されるフランジ部材（３）、前記フランジ部材（３）が挿通される挿通孔（５）をその側面に備えた水受けトレイ（４）、浴槽（Ｙ）の取付口（１）周縁と水受けトレイ（４）の挿通孔（５）周縁の間に備えられる水密パッキン（６）、水受けトレイ（４）及びフランジ部材（３）を浴槽（Ｙ）に取り付けるための取付部材（７）、から構成され、フランジ部材（３）のフランジ（３ａ）と取付部材（７）の間に浴槽（Ｙ）及び水受けトレイ（４）を介在させて、水受けトレイ（４）及びフランジ部材（３）を浴槽（Ｙ）に取り付け取着する。【選択図】  図１
2005253696.tif 000002
【特許請求の範囲】
【請求項１】
浴槽（Ｙ）と、
浴槽（Ｙ）の側面に設けられた取付口（１）と、
前記取付口（１）に対して抜け止めとするフランジ（３ａ）を備えて成り、前記取付口（１）に挿通されるフランジ部材（３）と、
一部が開放される箱体であって、前記フランジ部材（３）が挿通される挿通孔（５）をその側面に備えた水受けトレイ（４）と、
水受けトレイ（４）及びフランジ部材（３）を浴槽（Ｙ）に取り付けるための取付部材（７）と、
から構成され、
フランジ部材（３）のフランジ（３ａ）と取付部材（７）の間に浴槽（Ｙ）及び水受けトレイ（４）を介在させて、水受けトレイ（４）及びフランジ部材（３）を浴槽（Ｙ）に取り付け取着することを特徴とする水受けトレイ。
【請求項２】
前記水受けトレイ（４）に、排水管（１１）を介して任意の箇所に排水を排水する排出口（９）を構成したことを特徴とする請求項１に記載の水受けトレイ。
【請求項３】
前記フランジ部材（３）と取付部材（７）をねじによる螺合により締め付け固定して取着したことを特徴とする請求項１又は請求項２に記載の水受けトレイ。
【請求項４】
前記フランジ部材（３）が、浴槽（Ｙ）の追い焚き用配管であることを特徴とする請求項１乃至請求項３のいずれかひとつに記載の水受けトレイ。
【請求項５】
前記排出口（９）から排水管（１１）の経路中に逆流防止弁（１０）を構成したことを特徴とする請求項２乃至請求項４のいずれかひとつに記載の水受けトレイ。
【請求項６】
前記浴槽（Ｙ）の側部にエプロン部（Ｅ）を配置するとともに、
前記浴槽（Ｙ）に隣接して洗い場パン（Ｐ１）を構成し、
水受けトレイ（４）の溜まり水を排水管（１１）及びエプロン部（Ｅ）を介して洗い場パン（Ｐ１）へ排水することを特徴とする請求項２乃至請求項５のいずれかひとつに記載の水受けトレイ。
【請求項７】
前記排水管（１１）を、排水トラップの封水に直接排水することを特徴とする請求項２乃至請求項６のいずれかひとつに記載の水受けトレイ。
【発明の詳細な説明】
【技術分野】
【０００１】
本発明は、配管の接続箇所からの漏水を受容して、排水管などの外部へ排出する水受けトレイに関するものである。
【背景技術】
【０００２】
従来より、浴室に取り付けられる水受けトレイが知られている。
浴室は、後記する浴槽と、浴槽を載置する浴槽パンと、浴槽パンの側部に配置されて洗い場を構成する洗い場パンと、浴槽天面から下方に垂下されて、洗い場パンと浴槽パンを水密的に区切るエプロン部から構成される。
この従来の水受けトレイは、以下の浴槽と、フランジ部材と、水受けトレイと、から構成される。
浴槽は、側面に取付口を設けて構成される。
フランジ部材は、円筒状であって、浴槽の追い焚き用配管であり、浴槽の取付口を挿通させて浴槽に接続固定されて構成される。
水受けトレイは、前記浴槽の取付口の直下に取り付けられ、上部が開放された箱体であって、排水管を介して洗い場パンへ直通する排出口を備えて成る。
また、水受けトレイは両面テープやコーキングなどの接着手段で取り付けられる。
【０００３】
前記した従来の水受けトレイは、以下のように取り付けられる。
浴槽の側面であって取付口の直下部分に、水受けトレイの底面及び側面に両面テープなどの接着手段を用いて接着固定して完了する。
この従来の水受けトレイの排水方法は、以下のようになる。
浴槽の取付口とフランジ部材の接続部分から漏水があった際、漏水は取付口の直下に配置される水受けトレイ内に収容される。そして、水受けトレイ内の排出口から排水管を介して洗い場パンへ排水される。
また、洗い場パン上の排水は、洗い場パンの排水トラップ（図示せず）から最終的には下水へと排水される。
【０００４】
また、他の従来の水受けトレイの取り付け構造として、図４及び以下に記載の浴室に取り付けられる水受けトレイが知られている。
当該従来の水受けトレイの取り付け構造は、以下に記載の取付部材及び前記段落０００２に記載の浴槽と、フランジ部材と、水受けトレイで構成され、前記段落０００２に記載したものと同様の構成の浴槽パン、洗い場パン、エプロン部から構成される浴室に取り付けられる。
取付部材はＬ字状の金具２個であって、浴槽の取付口の直下付近に位置するように一端を前記浴槽の脚に取り付け固定する。そして、Ｌ字状の金具に、水受けトレイの開放部分が浴槽の取付口の直下に位置するように位置決めして、底面及び側面を固定することで取り付けは完了する。
この従来の水受けトレイの排水方法は、前記段落０００３の従来の水受けトレイの排水方法と同様の流れで排水される。
【０００５】
【特許文献１】特開平１０−１４８４０３号
【発明の開示】
【発明が解決しようとする課題】
【０００６】
通常、水受けトレイの取り付け構造及び排水構造には以下の性能が要求される。
１．施工が簡単であること
水受けトレイの取り付け場所は浴槽裏の非常に狭いスペースに取り付けなければならないので、施工が簡単に行えることが求められる。
２．漏水が発生しないこと
フランジ部材の接続箇所から漏水が発生すると、浴槽裏空間はエプロン部材で水密的に区切られているため、目視確認できず、最悪の場合階下に漏水したりする場合もある。よって、漏水しない信頼性の高い水受けトレイが求められる。
３．部品点数が少ないこと
部品点数が多くなってしまうと、施工作業が煩わしくなるばかりか、部材コストを上昇させる。したがって、部品点数が少ない構造であることが求められる。
４．浴槽裏空間に浴室内の湿気が流入しないこと
通常の浴室は、水を扱う場所のため、浴室内の湿度は上昇する。また、浴槽裏の空間は洗い場パンとエプロン部材で水密的に区切られるが、浴槽裏のエプロン部材で区切られた内部の空間（以下、浴槽裏空間と記載）は浴室内の換気作用が及ぶことが少ない空間のため、湿度が高くなりやすい。
そこで、浴室内の湿度が浴槽裏空間へ流入してしまうと、浴槽裏空間内部は湿気により結露やカビが発生し、悪臭の原因となることがあった。しかしながら、使用者にとって、エプロン部材をわざわざ取り外し、狭い浴槽裏の空間を掃除することは大変困難である。よって、浴槽裏空間内は結露・カビが発生しない、すなわち浴槽裏空間の湿度が浴室内と同等もしくはそれ以上に上昇しないことが求められる。
【０００７】
しかしながら、前記段落０００２乃至段落０００３に記載の従来の水受けトレイには、前述の要求に以下の点で対応できていなかった。
水密性を求められる水受けトレイの取り付け、シーリングテープやコーキング作業は、狭い浴槽裏空間内で行わなければ成らず、非常に困難であった。最悪の場合、施工不良による水漏れなどが発生する可能性があった。
従って、１．の性能である、施工が簡単であることが解決できていなかった。
また、浴槽と水受けトレイの取り付けは、接着法で行っているため、水受けトレイ内に排水が多量に溜まると、水受けトレイに排水の重量が加わって接着強度を超えて剥がれ落ちることがある。しかも、浴槽裏空間に水受けトレイは配置されているため目視確認できないので、そのまま水受けトレイ内の溜まり水は階下へ漏水してしまうことがあった。
また、水受けトレイの排出口の排水管は排出口からエプロン部まで接続されているが、排水管の経年変化による収縮で排水管が縮まり、結果的に水受けトレイが排水管に引っ張られる。浴槽と水受けトレイの取り付けは、接着法で行っているため、上記の引っ張りが強くなると、接着強度を超えて水受けトレイが剥がれ落ちることがあった。
また、接着部分が排水に晒されることで、接着部分が劣化し、接着強度が弱まって、水受けトレイが剥がれ落ちることがある。この場合、浴槽裏空間に水受けトレイは配置されているため目視確認できないので、そのまま階下へ漏水してしまうことがあった。
従って、２．の性能である、漏水が発生しないことが解決できていなかった。
【０００８】
また、前記段落０００４に記載の従来の水受けトレイには、以下の問題点があった。
取付部材として、Ｌ字状金具を使用するので、部品点数が多くなって取り付け時の施工作業が難しくなる。また、部品点数の増加で製品自体の部材コストが上昇する原因となっていた。
従って、１．の性能である、施工が簡単であることが解決できていないことと、３．の性能である、部品点数を少なくすることが解決できていなかった。
【０００９】
また、前記した従来例の水受けトレイの排水構造は、洗い場パン側に排水管を連結して排水しているため、洗い場パン側の湿気が排水管を介して水受けトレイ側へ逆流してしまい、浴槽裏空間の湿度が高くなり、浴槽裏空間にカビや結露などが発生し悪臭の原因となっていた。
従って、４．の性能である、浴槽裏空間に浴室内の湿気を逆流させないことが解決できていなかった。
【００１０】
従って、本発明の水受けトレイは、施工が簡単であること、漏水が発生しないこと、部品点数が少ないこと、浴槽裏空間に浴室内の湿気が流入しないこと、を解決するために発明されたものである。
【課題を解決するための手段】
【００１１】
請求項１に記載の水受けトレイ（４）は、浴槽（Ｙ）と、浴槽（Ｙ）の側面に設けられた取付口（１）と、前記取付口（１）に対して抜け止めとするフランジ（３ａ）を備えて成り、前記取付口（１）に挿通されるフランジ部材（３）と、一部が開放される箱体であって、前記フランジ部材（３）が挿通される挿通孔（５）をその側面に備えた水受けトレイ（４）と、水受けトレイ（４）及びフランジ部材（３）を浴槽（Ｙ）に取り付けるための取付部材（７）と、から構成され、フランジ部材（３）のフランジ（３ａ）と取付部材（７）の間に浴槽（Ｙ）及び水受けトレイ（４）を介在させて、水受けトレイ（４）及びフランジ部材（３）を浴槽（Ｙ）に取り付け取着することを特徴とする水受けトレイである。
【００１２】
請求項２に記載の水受けトレイ（４）は、前記水受けトレイ（４）に、排水管（１１）を介して任意の箇所に排水を排水する排出口（９）を構成したことを特徴とする前記段落００１１に記載の水受けトレイである。
【００１３】
請求項３に記載の水受けトレイ（４）は、前記フランジ部材（３）と取付部材（７）をねじによる螺合により締め付け固定して取着したことを特徴とする前記段落００１１又は段落００１２に記載の水受けトレイである。
【００１４】
請求項４に記載の水受けトレイ（４）は、前記フランジ部材（３）が、浴槽（Ｙ）の追い焚き用配管であることを特徴とする前記段落００１１乃至段落００１３のいずれかひとつに記載の水受けトレイである。
【００１５】
請求項５に記載の水受けトレイ（４）は、前記排出口（９）から排水管（１１）の経路中に逆流防止弁（１０）を構成したことを特徴とする前記段落００１２乃至段落００１４のいずれかひとつに記載の水受けトレイである。
【００１６】
請求項６に記載の水受けトレイ（４）は、前記浴槽（Ｙ）の側部にエプロン部（Ｅ）を配置するとともに、
前記浴槽（Ｙ）に隣接して洗い場パン（Ｐ１）を構成し、水受けトレイ（４）の溜まり水を排水管（１１）及びエプロン部（Ｅ）を介して洗い場パン（Ｐ１）へ排水することを特徴とする前記段落００１２乃至段落００１５のいずれかひとつに記載の水受けトレイである。
【００１７】
請求項７に記載の水受けトレイは（４）、前記排水管（１１）を、排水トラップの封水に直接排水することを特徴とする前記段落００１２乃至段落００１６のいずれかひとつに記載の水受けトレイである。
【発明の効果】
【００１８】
本発明の水受けトレイ（４）の請求項１乃至請求項７に係る発明は、次の１）乃至７）のような効果を有する。
１）請求項１に記載の水受けトレイ（４）は、フランジ部材（３）のフランジ（３ａ）と取付部材（７）の間に浴槽（Ｙ）及び水受けトレイ（４）を介在させて、水受けトレイ（４）及びフランジ部材（３）を浴槽（Ｙ）に取り付け取着したことで、排水に晒されても接続箇所が劣化せず、取り付け強度が弱くなることがないため、水受けトレイ（４）が剥がれ落ちたりすることがなくなり、水漏れが発生することがなくなる。
また、従来の接着による施工と比較して、取付部材（７）で取着するのみで施工が完了し浴槽裏空間の狭い空間で作業することが簡単となる。
２）請求項２に記載の水受けトレイ（４）は、排出口（９）を構成したことで、トレイ内部の溜まり水をトレイ外へ排出させることができるので、水受けトレイ（４）自体に排水の荷重が加わることがない。
３）請求項３に記載の水受けトレイ（４）は、前記フランジ部材（３）と取付部材（７）をねじによる螺合により締め付け固定して取着したので、排水に晒されても接続箇所が劣化せず、取り付け強度が弱くなることがない。このため、水受けトレイ（４）が剥がれ落ちたりすることがなくなり、水漏れが発生することがなくなる。
また、従来の接着による施工と比較して、取付部材（７）で取着するのみで施工が完了し浴槽裏空間の狭い空間で作業することが簡単となる。
４）請求項４に記載の水受けトレイ（４）は、浴槽（Ｙ）の追い焚き用配管に採用したので、当該箇所の漏水を防止することが出来る。
５）請求項５に記載の水受けトレイ（４）は、前記排水管（１１）から排出口（９）までの間に逆流防止弁（１０）を配置したことで、洗い場パン（Ｐ１）上の湿気が浴槽裏空間内に逆流することが防止できる。
６）請求項６に記載の水受けトレイ（４）は、水受けトレイ（４）の溜水を排水管（１１）及びエプロン部（Ｅ）を介して洗い場パン（Ｐ１）へ排水することで、水受けトレイ（４）内の排水が洗い場パン（Ｐ１）へ排水することができる。
７）請求項７に記載の水受けトレイ（４）は、水受けトレイ（４）の溜水を排水トラップへ直接排水することができる。
【発明を実施するための最良の形態】
【００１９】
以下に本発明の第１実施例を、図面を参照しつつ説明する。
図１乃至図３に示した水受けトレイ（４）は、以下の浴室に取り付けられる。
浴室は、後記する浴槽（Ｙ）と、浴槽（Ｙ）を載置する浴槽パン（Ｐ２）と、浴槽パン（Ｐ２）の側部に配置されて洗い場を構成する洗い場パン（Ｐ１）と、浴槽（Ｙ）天面から下方に垂下されて、洗い場パン（Ｐ１）と浴槽パン（Ｐ２）を水密的に区切るエプロン部（Ｅ）から構成される。
また、本発明の水受けトレイ（４）とその取付部材（７）は、以下に記載のフランジ部材（３）と、パッキン（２）と、水受けトレイ（４）と、水密パッキン（６）と、取付部材（７）と、逆流防止弁（１０）と、から構成され、以下に記載の浴槽（Ｙ）に取り付けられる。
浴槽（Ｙ）は、側面に取付口（１）を設けて構成される。
フランジ部材（３）は、浴槽（Ｙ）の追い焚き用配管であって、円筒状にして、端部に浴槽（Ｙ）の取付口（１）に対して抜け止めとなる、断面視外側方向に突出するフランジ（３ａ）を構成するとともに、フランジ部材（３）外周には雄ねじ（３ｂ）が構成される。
パッキン（２）は、フランジ部材（３）のフランジ（３ａ）と浴槽（Ｙ）の取付口（１）との間に配置して、両者間の水密化を図るパッキン（２）であり、弾性部材から構成される。
水受けトレイ（４）は、上部が開放された箱体であって、前記浴槽（Ｙ）の取付口（１）裏面に取り付けられるとともに、挿通口と、排出口（９）と、排水管（１１）と、エプロン部（Ｅ）の開口（１２）から構成される。
挿通口は、浴槽（Ｙ）の取付口（１）に挿通されたフランジ部材（３）に、浴槽（Ｙ）裏面から挿通させる孔であり、後記する水密パッキン（６）を備えて成る。
排出口（９）は、水受けトレイ（４）の側面最低部に開口され、水受けトレイ（４）内部の溜まり水を外部へ排出させる開口である。
排水管（１１）は、排出口（９）に接続される、可撓性を備えた部材である。
エプロン部（Ｅ）の開口（１２）は、前記排水管（１１）が接続されており、当該開口（１２）と水受けトレイ（４）は連通してなる。
水密パッキン（６）は、断面視Ｕ字状の弾性素材から成るリング状の部材であって、水受けトレイ（４）の挿通孔（５）全周に覆うように取り付けられて、浴槽（Ｙ）の取付口（１）周縁と水受けトレイ（４）の挿通孔（５）周縁の漏水を防水する。
取付部材（７）は、前記フランジ部材（３）の雄ねじ（３ｂ）と螺合する雌ねじ（７ａ）を内周に構成した、内部にフランジ部材（３）からの水が通水するエルボ状の配管（８）として、追い焚き用配管の一部として構成される。
逆流防止弁（１０）は、一方を軸で回動自在に軸着させる弁体であって、前記排水管（１１）に備えて成る。当該逆流防止弁（１０）は、水受けトレイ（４）からの溜まり水が無い場合は排水管（１１）を閉塞し、水受けトレイ（４）内に溜まり水が発生した場合には開口する構成となる。
【００２０】
前記構成の水受けトレイ（４）は、以下のようにして浴室の浴槽（Ｙ）に取り付けられる。
浴槽（Ｙ）の取付口（１）に、浴槽（Ｙ）の内側から外側に向かってパッキン（２）を介してフランジ部材（３）を挿通させ、フランジ部材（３）のフランジ（３ａ）周縁をパッキン（２）を介して取付口（１）周縁に当接させて、フランジ部材（３）が浴槽（Ｙ）に対して抜け出さないように配置する。また、水受けトレイ（４）の挿通孔（５）に、水密パッキン（６）を装着し、浴槽（Ｙ）の裏面から水受けトレイ（４）の挿通孔（５）をフランジ部材（３）に挿通させる。そして、取付部材（７）である配管（８）の雌ねじ（７ａ）を、フランジ部材（３）の雄ねじ（３ｂ）に螺合させて締め付ける。そうすると、フランジ部材（３）のフランジ（３ａ）から浴槽（Ｙ）の取付口（１）周縁、水密パッキン（６）、水受けトレイ（４）の挿通孔（５）周縁がそれぞれ圧接され、水密的に取着することができ、取り付けが完了する。また、取り付け時は、水受けトレイ（４）の開放部分から施工者が手を差し込み、取付部材（７）を回すだけで位置決めが完了する。そして、浴槽（Ｙ）の裏面と水受けトレイ（４）の隙間を、コーキング（Ｓ）などで水密的に埋めて施工が完了する。
このコーキング（Ｓ）作業については、水受けトレイ（４）の位置決め及び取付が完了していること、従来例と違い、取り付けのためのコーキング（Ｓ）ではなく、水密を保つ程度のコーキング（Ｓ）で良いこと、から非常に簡単に施工することができる。
【００２１】
前記構成の水受けトレイ（４）内の溜まり水の流れは以下のようになる。
浴槽（Ｙ）の取付口（１）とフランジ部材（３）からの漏水が発生した場合、水密パッキン（６）、水受けトレイ（４）の挿通孔（５）を介して、水受けトレイ（４）内に収容される。そして、水受けトレイ（４）の排出口（９）から、排水管（１１）を介して、エプロン部（Ｅ）に設けた開口（１２）から、洗い場パン（Ｐ１）上へ排水される。
浴槽（Ｙ）取付口（１）とフランジ部材（３）からの漏水は、浴槽裏空間に漏水することなく、円滑に水受けトレイ（４）内に収容され、更に、浴槽裏空間にとどまることなく洗い場パン（Ｐ１）側へ排水することが出来るので、浴槽裏空間内が排水によって汚されることがない。また、水受けトレイ（４）が、その内部の溜まり水の荷重によって落下することがない。
また、排水管（１１）内に逆流防止弁（１０）を備えているので、洗い場パン（Ｐ１）側の湿気が、排水管（１１）を介して浴槽裏空間に逆流しないので、浴槽裏空間を清潔に保つことが出来る。
【００２２】
また、本発明の水受けトレイ（４）の取り付け構造及び排水構造は、前記実施例に限定されることはなく、発明の要旨を変更しない範囲での変更は可能である。
図示しないが、上記実施例では水受けトレイ（４）の排水管（１１）の接続先をエプロン部（Ｅ）としているが、例えば下水管の任意の箇所に接続しても良い。こうすることで、排水管（１１）を下水管の任意の箇所に接続することで、水受けトレイ（４）内の溜まり水が外部に漏れ出すことなく円滑に排水することが出来る。
【００２３】
また、図示しないが、上記実施例では水受けトレイ（４）の排水管（１１）の接続先をエプロン部（Ｅ）としているが、例えば内部に下水からの悪臭や害虫の逆流を防止する封水を備えた排水トラップの封水部分に接続しても良い。排水管（１１）を封水に接続することで、下水からの悪臭や害虫が水受けトレイ（４）側へ逆流することがない。
【００２４】
また、図示しないが、上記実施例では浴槽（Ｙ）を浴槽パン（Ｐ２）に載置しているが、特に浴槽パン（Ｐ２）を備えない浴室において本発明の水受けトレイ（４）を用いても良い。
【００２５】
また、図示しないが、上記実施例では取付部材（７）と配管（８）を一体に構成しているが、適宜別体の構成としても良い。
【００２６】
また、図示しないが、上記実施例では水密パッキン（６）を水受けトレイ（４）に備えているが、水受けトレイ（４）をゴムなどの弾性部材で構成しても良い。水受けトレイ（４）を弾性部材とすることで、水密パッキン（６）を備えくても、水密化を図ることができる。
【図面の簡単な説明】
【００２７】
【図１】本発明の水受けトレイが取り付けられる浴室を示す断面図である。
【図２】（ａ）  本発明の水受けトレイの施工前を示す、図１におけるＡ−Ａ’断面図である。        （ｂ）  本発明の水受けトレイの施工後を示す、図１におけるＡ−Ａ’断面図である。
【図３】本発明の水受けトレイの図１におけるＢ部拡大断面図である。
【図４】従来例を示す断面図である。
【符号の説明】
【００２８】
１    取付口                    Ｙ    浴槽
２    パッキン                  Ｐ１  洗い場パン
３    フランジ部材              Ｐ２  浴槽パン
３ａ  フランジ                  Ｅ    エプロン部
３ｂ  雄ねじ                    Ｓ  コーキング
４    水受けトレイ
５    挿通孔
６    水密パッキン
７    取付部材
７ａ  雌ねじ
８    配管
９    排出口
１０  逆流防止弁
１１  排水管
１２  開口
【図１】
2005253696.tif 000003
【図２】
2005253696.tif 000004
【図３】
2005253696.tif 000005
【図４】
2005253696.tif 000006